(57)【特許請求の範囲】
【請求項１】
壁面に固定した壁掛け金具に保持させて機器を壁面に取り付ける機器の壁面取付構造であって、
前記壁掛け金具は、機器を係止して保持するための第１係止片を左右に備える一方、機器の背部には前記第１係止片を下方から受け入れて保持する第１係止穴を一対有し、
前記第１係止片は、壁掛け金具の枠状本体の左右端部から前方に突出して形成され、突出した部位に前記第１係止穴に係止する舌片を有し、左側の第１係止片の前記舌片は左側方へ突出する一方、右側第１係止片の前記舌片は右側方へ突出して形成され、
前記機器は、前記第１係止穴に前記第１係止片を導く為の案内凹部を前記第１係止穴の下部に有し、
前記案内凹部は、前記第１係止穴と同一深さで形成されると共に、前記左右の舌片に対して一体に或いは独立に形成され、前記舌片の左右端部のうち少なくとも外側突出部に係合する壁部を有し、左右に形成された前記壁部間の距離は、左右の前記舌片の外側先端部間の距離より大きく形成されると共に、前記壁部は前記第１係止穴からテーパ面を介して連続形成され、
前記第１係止片を前記案内凹部内に配置した後、機器を下方に移動して、前記第１係止穴に前記第１係止片を挿入し、機器を前記壁掛け金具に保持させることを特徴とする機器の壁面取付構造。
【請求項２】
前記壁掛け金具は、上端に前記第１係止片を有すると共に下端に同様の形状の一対の第２係止片を備え、機器背面には前記第２係止片に対応する第２係止穴が前記第１係止片と同様の形状で形成されて成ることを特徴とする請求項１記載の機器の壁面取付構造。
【請求項３】
前記第２係止穴は、前記機器背部の下端部或いは下端部近傍に形成され、前記第２係止穴の下部には前記第２係止片を案内するテーパ面を有することを特徴とする請求項２記載の機器の壁面取付構造。
【請求項４】
一対の前記第１係止片及び一対の前記第２係止片を構成する全４個の係止片は、壁掛け金具の４隅に上下及び左右対称に配置形成され、壁掛け金具を上下反転しても機器の取り付けが可能であることを特徴とする請求項２又は３記載の機器の壁面取付構造。
【請求項５】
前記壁掛け金具は、各係止片に隣接する４ヶ所に前記機器を固定するための固定孔を備える一方、前記機器は前記第１係合穴に隣接する部位に、前記係止片が前記第１係合孔に挿入された際に前記固定孔に係止する突起を備えたことを特徴とする請求項４記載の機器の壁面取付構造。
【発明の詳細な説明】
【技術分野】
【０００１】
本発明は機器の壁面取付構造に関し、詳しくは壁に壁掛け金具を取り付けて、この壁掛け金具に機器を保持させることで機器を壁に取り付ける機器の壁面取付構造に関する。
【背景技術】
【０００２】
別途設けたインターホン子機等と通話を行うためのインターホン親機等の機器は居室壁面に設置すると使い勝手が良く、このような機器を壁面に取り付ける場合は壁掛け金具が使用される。壁掛け金具は通常壁面に埋設されたスイッチボックスを覆うように取り付けられ、この取付金具に対して機器が取り付けられて壁面に設置される。なお、この場合、スイッチボックスには、インターホン子機等から壁内を通して配設された伝送線や電源線が挿通され、壁掛け金具を介して機器に接続される。
このような機器の壁面取付構造として、例えば特許文献１に記載された構成のものがある。具体的に特許文献１には、壁掛け金具の４隅に機器を引っ掛ける引っ掛け部を設け、対応する機器ケースには引っ掛け部を挿入する穴と穴の下方に穴へ続く凹部及び案内溝を設け、案内溝に案内させて穴に引っ掛け部を挿入させる構造が記載されている。
【先行技術文献】
【特許文献】
【０００３】
【特許文献１】特開２００３−１２４６４４号公報
【発明の概要】
【発明が解決しようとする課題】
【０００４】
壁掛け金具を使用する上記特許文献１の技術は、案内溝に壁掛け金具の引っ掛け部を合わせることで、その後は案内溝を辿って引っ掛け部を凹部に誘導すれば、穴に引っ掛け部を挿入できた。
しかしながら、壁に取り付けた壁掛け金具の係止片に機器ケースの案内溝を合わせる作業は、引っ掛け部が機器ケースに隠れて見えなくなってしまうため作業がし辛かった。特に、取り付ける壁面の左右どちらかに構造物があった場合、側面からの視認は不可能となり更に作業し辛かった。また、凹部や案内溝は引っ掛け部より僅かに大きい程度であったため、引っ掛け部を凹部に誘導するのに手間取ったし、案内溝が小さいために左右一方しか引っ掛かっていないような中途半端な状態で取り付けられた場合があった。更に、壁掛け金具には上下方向があるため、反転して壁面に取り付けた場合は機器を取り付けできなかった。
【０００５】
そこで、本発明はこのような問題点に鑑み、壁掛け金具を用いて機器を壁に取付けるにあたって、壁掛け金具の係止片に機器の穴を合わせ易く、また壁掛け金具に方向性が無く容易に機器を取り付けできる機器の壁面取付構造を提供することを目的としている。
【課題を解決するための手段】
【０００６】
上記課題を解決する為に請求項１の発明は、壁面に固定した壁掛け金具に保持させて機器を壁面に取り付ける機器の壁面取付構造であって、壁掛け金具は、機器を係止して保持するための第１係止片を左右に備える一方、機器の背部には第１係止片を下方から受け入れて保持する第１係止穴を一対有し、第１係止片は、壁掛け金具の枠状本体の左右端部から前方に突出して形成され、突出した部位に第１係止穴に係止する舌片を有し、左側の第１係止片の舌片は左側方へ突出する一方、右側第１係止片の舌片は右側方へ突出して形成され、機器は、第１係止穴に第１係止片を導く為の案内凹部を第１係止穴の下部に有し、案内凹部は、第１係止穴と同一深さで形成されると共に、左右の舌片に対して一体に或いは独立に形成され、舌片の左右端部のうち少なくとも外側突出部に係合する壁部を有し、左右に形成された壁部間の距離は、左右の舌片の外側先端部間の距離より大きく形成されると共に、壁部は第１係止穴からテーパ面を介して連続形成され、第１係止片を案内凹部内に配置した後、機器を下方に移動して、第１係止穴に第１係止片を挿入し、機器を壁掛け金具に保持させることを特徴とする。
この構成によれば、案内凹部が広く形成されているため、第１係止片を案内凹部内に容易に配置できる。配置した後は、機器を下方へ移動すればテーパ面が係止片を誘導するため、係止穴にスムーズに挿入させることができ、機器の取り付けを簡易に実施できる。
【０００７】
請求項２の発明は、請求項１に記載の構成において、壁掛け金具は、上端に第１係止片を有すると共に下端に同様の形状の一対の第２係止片を備え、機器背面には第２係止片に対応する第２係止穴が第１係止片と同様の形状で形成されて成ることを特徴とする。
この構成によれば、機器を取り付ける際に完全に隠れる第１係止片に対しては案内凹部があるので、係止片の第１係止穴への挿入を簡易に行うことができる。そして機器の４ヶ所が係止されることで機器を安定した状態で壁に取り付けできる。
【０００８】
請求項３の発明は、請求項２に記載の構成において、第２係止穴は、機器背部の下端部或いは下端部近傍に形成され、第２係止穴の下部には第２係止片を案内するテーパ面を有することを特徴とする。
この構成によれば、第２係止穴は機器の下端部或いは下端部近傍に形成されているので、案内凹部に第１係止片を位置合わせする際、第２係止片を機器の下方に露出させた状態で位置合わせすることができる。そのため、第２係止片を第２係止穴に挿入する際、目視で位置を確認しながら取り付け作業ができ、作業がし易い。
【０００９】
請求項４の発明は、請求項２又は３記載の構成において、一対の第１係止片及び一対の第２係止片を構成する全４個の係止片は、壁掛け金具の４隅に上下及び左右対称に配置形成され、壁掛け金具を上下反転しても機器の取り付けが可能であることを特徴とする。
この構成によれば、壁掛け金具には上下の方向性がないため、上下反転させても機器を取り付けることができ、上下方向を間違える問題が生じない。
【００１０】
請求項５の発明は、請求項４に記載の構成において、壁掛け金具は、各係止片に隣接する４ヶ所に機器を固定するための固定孔を備える一方、機器は第１係合穴に隣接する部位に、係止片が第１係合孔に挿入された際に固定孔に係止する突起を備えたことを特徴とする。
この構成によれば、壁掛け金具に取り付けた機器は固定されるし、壁掛け金具を上下反転しても機器は確実に固定される。
【発明の効果】
【００１１】
本発明によれば、案内凹部が広く形成されているため、第１係止片を案内凹部内に容易に配置できる。配置した後は、機器を下方へ移動すればテーパ面が係止片を誘導するため、係止穴にスムーズに挿入させることができ、機器の取り付けを簡易に実施できる。
また、壁掛け金具の係止片を壁掛け金具の４隅に上下及び左右対称に配置形成でき、壁掛け金具の上下の方向性を無くすことができる。
【図面の簡単な説明】
【００１２】
【図１】本発明に係る機器の壁面取付構造の一例を示し、壁掛け金具を機器に取り付けた状態の背面視斜視図である。
【図２】壁掛け金具の斜視図である。
【図３】機器の背面視斜視図である。
【図４】機器を壁掛け金具に取り付ける様子を示す背面説明図である。
【発明を実施するための形態】
【００１３】
以下、本発明を具体化した実施の形態を、図面に基づいて詳細に説明する。図１〜図３は本発明に係る機器の壁面取付構造の一例を示し、図１は壁掛け金具を機器に取り付けた状態の背面視斜視図、図２は壁掛け金具の正面視斜視図、図３は機器の背面視斜視図を示している。各図において、１は壁掛け金具、２はインターホン親機等の機器であり、図１に示すように機器２は壁掛け金具１を介して壁面に取り付けられる。
【００１４】
壁掛け金具１は、図２に示すように略四角形板状の枠体であり、枠状本体１ａの４隅に機器２を係止するための係止片１１（上部の第１係止片１１ａ，１１ａと下部の第２係止片１１ｂ，１１ｂ）を備えている。枠状本体１ａは、別途設置されたインターホン子機（図示せず）から配設された伝送線や電源線等を挿通するための大開口部１２が中央に形成され、大開口部１２の周囲には壁に固定する際使用される複数の小孔が形成され、このうち長孔１３は壁に埋設されたスイッチボックス（図示せず）に固定するためのネジの挿通孔に使用される。
【００１５】
係止片１１は、枠状本体１ａに対して前方に１段張り出してＬ字状に折り曲げ形成され、張り出した位置で横方向に突出させた舌片１６を備えている。具体的に、第１係止片１１ａ、第２係止片１１ｂともに左側の舌片１６は枠状本体１ａの左外方へ突出形成され、右側の舌片１６は右外方へ突出形成されている。そして、これら全４個の係止片１１ａ，１１ａ，１１ｂ，１１ｂは枠状本体１ａ上で左右対称かつ上下対称に形成されている。即ち全ての係止片１１は同一形状であり、上下反転しても同一の形状となっている。
更に、各係止片１１に隣接する枠状本体１ａには、取り付けた機器２を固定するための固定孔１４が穿設されている。
【００１６】
機器２の背面２ａには、壁掛け金具１の係止片１１を挿入する係止穴２１（上部の第１係止穴２１ａ、下部の第２係止穴２１ｂ）が、夫々の係止片１１の位置に合わせて４ヶ所形成され、下方から係止片１１を受け入れるよう下方に向けて開口形成されている。そして、全ての係止穴２１の下部には、テーパ面２２ａを設けて拡幅したガイド部２２が設けられ、係止片１１の挿入をし易くしている。
【００１７】
また、上部一対の第１係止穴２１ａ，２１ａに対しては、ガイド部２２に連続して案内凹部２３が下方に延設されている。この案内凹部２３は、係止片１１の幅寸法（図４に示すｔ１）に対して十分に大きな幅（図４に示すｔ２）を有している。そして、係止穴２１、ガイド部２２と同一の深さで連続形成され、テーパ面２２ａに連続する壁部２３ａが形成され、第１係止片１１ａの舌片１６先端部に当接して第１係止片１１ａを第１係止穴２１ａの直下にガイドし、挿入係止操作をし易くしている。更に、第１係止穴２１ａの近傍には、壁掛け金具１の固定孔１４に係合する突起２４が形成されている。
【００１８】
一方、下部一対の第２係止穴２１ｂ，２１ｂは、機器２の下端部近傍に形成され、案内凹部２３に第１係止片１１ａを位置合わせする際、第２係止片１１ｂ，１１ｂが機器２に隠れることなく露出するよう形成されている。
【００１９】
このように構成された機器の壁面取付構造の作用を次に説明する。まず壁掛け金具１が壁面に取り付けられる。壁掛け金具１はネジ等により壁に固定される。通常、壁に埋設されたスイッチボックスにねじ挿通孔を使用してネジ止めすることで壁面に取り付けられる。壁面に取り付けられた壁掛け金具１は、係止片１１が前方に張り出した状態になる。
【００２０】
こうして壁面上で張り出した係止片１１に対して機器２の左右を位置合わせ操作し、下方に摺動して取り付ける。図４は、この取り付け操作時の壁掛け金具１と機器２の位置関係を示す背面説明図であり、この図を基に具体的に説明する。
まず、壁掛け金具１の上部が隠れるように機器２を配置し、押し付けながら左右に少し動かすことにより、壁掛け金具１の上部の第１係止片１１ａを機器２の案内凹部２３内に入り込ませる。この時、下部の第２係止片１１ｂは押し当てられた機器２に隠れることが無いので、作業者は第１係止片１１ａの位置を想像して案内凹部２３に容易に入り込ませることができる。また、案内凹部２３は幅広に形成されているので、容易に入り込ませることができる。
第１係止片１１ａが案内凹部２３に入り込んだ係合状態は、第１係止片１１ａが案内凹部２３の左右の壁部２３ａに当接して左右動が規制されるため容易に確認できる。
【００２１】
第１係止片１１ａを位置合わせした後、機器２を下方向に摺動操作すると、第１係止片１１ａは案内凹部２３に続きテーパ面２２ａにガイドされ、第１係止穴２１ａに挿入される。同時に下部の第２係止片１１ｂはガイド部２２のテーパ面２２ａに案内されて下部の第２係止穴２１ｂに挿入される。係止片１１の挿入が完全に終了すると、機器２の突起２４が固定孔１４に係合して機器２が固定され、機器２の壁面への取り付けが終了となる。
【００２２】
尚、突起２４が固定孔１４に完全に係合しない中途半端な状態では、テーパ面２２ａを有するガイド部２２の存在により、係止片１１は機器２に係止し難く機器２が滑り落ち易い。特に、機器２の裏で配線の余長分が多い場合顕著で、機器２が前方に押し出されて係止片１１が機器２から外れ易い。そのため、中途半端な取り付け状態を把握し易く、中途半端な状態で取り付けられるのを防止でき、後から機器の落下等で配線が切断されるのを防止できる。
【００２３】
このように、上部の第１係止片１１ａに対して形成された案内凹部２３は広く形成されているため、第１係止片１１ａを案内凹部２３に容易に配置することができ、第１係止片１１ａが隠れて見えなくても第１係止片１１ａを案内凹部２３に簡単に配置できる。その後は、機器２を下方へ移動すれば、テーパ面２２ａが第１係止片１１ａを誘導するため第１係止穴２１ａにスムーズに挿入させることができ、機器２の取り付けを簡易に実施できる。
また、係止片１１を係止穴２１に挿入する際、下部の第２係止穴２１ｂは機器背面２ａの下端部近傍に形成されているので、第２係止片２１ｂを機器２の下方に露出させた状態で第１係止片１１ａを案内凹部２３に位置合わせすることができる。そのため、作業者が目視で第１係止片１１ａの位置を確認しながら取り付けることができ、取り付け作業がし易い。また、４ヶ所が係止されるので機器２を安定した状態で壁に取り付けできる。
更に、壁掛け金具１には上下方向が無いため、上下反転しても機器２を取り付けることができ、上下方向を間違える問題が生じない。
【００２４】
尚、上記実施形態は、ガイド部２２、案内凹部２３を左右の第１係止片１１ａ，１１ａに対して独立に形成しているが、ガイド部２２、案内凹部２３は左右の第１係止片１１ａ，１１ａの双方に対して連続した凹部として一体としても良い。この場合、一体型とした案内凹部２３の幅ｔ４（図４に示す）が左右の舌片１６間の幅ｔ３より大きく（例えば５ｍｍ大きく）形成すれば良く、左右外側に突出した舌片１６の先端部を良好にガイドでき、係止穴に誘導できる。
また、係止片１１を一対の第１係止片１１ａ，１１ａと一対の第２係止片１１ｂ，１１ｂと４個設けた構成を示しているが、少なくとも一対の第１係止片１１ａ，１１ａを設けるだけでも機器２を安定して保持することができる。
【産業上の利用可能性】
【００２５】
上記実施形態はインターホン機器の設置に関して説明したが、上記機器の壁面取付構造はインターホン機器の取り付けに関わらず、各種電子機器、特に液晶表示装置等を壁面に取り付ける際に好適である。
【符号の説明】
【００２６】
１・・壁掛け金具、１ａ・・枠状本体、２・・機器、２ａ・・機器ケース、１１・・係止片、１４・・固定孔、１６・・舌片、２１・・係止穴、２２・・ガイド部、２２ａ・・テーパ面、２３・・案内凹部、２３ａ・・壁部、２４・・突起。
【図１】
0005270626.tif 000002
【図２】
0005270626.tif 000003
【図３】
0005270626.tif 000004
【図４】
0005270626.tif 000005